(57)【要約】【課題】コンクリート型枠パネルの所定位置に釘打ちして固定する場合、釘打ち作業がし易いばかりか位置ずれもほとんどなく、しかも、コンクリート型枠パネルを脱枠した後のコンクリートの面取り部に釘の頭部の痕跡が残らないようにしたコンクリート型枠用面木を提供する。【解決手段】棒状に成形されると共にコンクリート型枠パネル６の内側面６ｂに当接する隣り合う一対の当接面１ａ，１ｂとその間に位置する面取り成形面２とを外周面に備え、前記いずれかの当接面１ａにその長手方向に沿って所定の開角度αを有するＶ溝３を凹設し、該Ｖ溝３の一方の内側面を該内側面に対し釘７がほぼ垂直な姿勢で打ち込める釘打込面４ｂとした構成からなる。【選択図】図２
2006233450.tif 000002
【特許請求の範囲】
【請求項１】
棒状に成形されると共にコンクリート型枠パネルの側面に当接する隣り合う一対の当接面とその間に位置する面取り成形面とを外周面に備え、前記いずれかの当接面にその長手方向に沿って所定の開角度を有するＶ溝を凹設し、前記Ｖ溝の一方の内側面を該内側面に対し釘がほぼ垂直な姿勢で打ち込める釘打込面としたことを特徴とするコンクリート型枠用面木。
【発明の詳細な説明】
【技術分野】
【０００１】
本発明は、生コンクリートを打設して例えば角柱状のコンクリート柱を成形するに当り、該コンクリート柱の外周面の各角部に面取り部を成形するために使用されるコンクリート型枠用面木に関するものである。
【背景技術】
【０００２】
従来、この種コンクリート型枠用の面木には、例えば次のような構成のものが有る。すなわち、この面木は、棒状に成形されると共に横断面が略直角三角形状をなし、その内、一番幅広の面取り成形面を釘が打ち込まれる釘打込面としている。また、隣り合いかつ直交する他の２面はコンクリート型枠パネルの側面に当接する。そこで、前記釘打込面である面取り成形面からコンクリート型枠パネルに釘が打ち込まれることになるが、該面取り成形面にはその長手方向に沿ってあらかじめ複数の釘が該面取り成形面に対し斜めの姿勢で打ち込まれる。そして、コンクリート型枠パネル側面の所定位置に面木を配置した状態で、前記面取り成形面の各釘を打ち込みコンクリート型枠パネルにまで到達させる。このようにして面木をコンクリート型枠パネルに固定するようにしている（例えば、特許文献１参照。）。
【特許文献１】特開平１０−１２１７２２号公報（第２頁、図１、図４）
【発明の開示】
【発明が解決しようとする課題】
【０００３】
しかしながら、前記特許文献１の面木では、各釘が面取り成形面に対し傾いた姿勢を取っているので、例えばハンマーで各釘を打ち込むに当り深く打ち込んでゆくに従いハンマーの角部が面取り成形面に当って邪魔し釘が打ち込みずらいばかりか、ともすると面木が所定位置からずれて位置寸法を狂わせてしまう心配が有る。また、釘の頭部は、通常略円板状または略逆円錐状に成形されており、最終的にこれらが面取り成形面から外側へ突出して残る場合が多い。このため、生コンクリート打設後にコンクリート型枠パネルを外したとき、前記コンクリートの面取り部に釘の頭部の痕跡が残ってしまい見栄えが悪くなるという課題があった。
【０００４】
そこで、本発明は上記課題を解決すべくなされたもので、コンクリート型枠パネルの所定位置に釘打ちして固定する場合、釘打ち作業がし易いばかりか位置ずれもほとんどなく、しかも、コンクリート型枠パネルを脱枠した後のコンクリートの面取り部に釘の頭部の痕跡が残らないようにしたコンクリート型枠用面木を提供することを目的とするものである。
【課題を解決するための手段】
【０００５】
かかる目的を達成するため、本発明に係るコンクリート型枠用面木は、棒状に成形されると共にコンクリート型枠パネルの側面に当接する隣り合う一対の当接面とその間に位置する面取り成形面とを外周面に備え、前記いずれかの当接面にその長手方向に沿って所定の開角度を有するＶ溝を凹設し、該Ｖ溝の一方の内側面を該内側面に対し釘がほぼ垂直な姿勢で打ち込める釘打込面とした構成からなる。
【発明の効果】
【０００６】
本発明に係るコンクリート型枠用面木は、いずれかの当接面にその長手方向に沿って所定の開角度を有するＶ溝を凹設し、該Ｖ溝の一方の内側面を該内側面に対し釘がほぼ垂直な姿勢で打ち込める釘打込面としたので、ハンマーでの釘打ちに際し該ハンマーが釘打込面に当ることがなく釘の打込作業がし易い。しかも、これによりコンクリート型枠用面木がコンクリート型枠パネルの所定位置からずれることがなく寸法精度が高くなる。また、面取り成形面が釘打込面にならないので、コンクリート型枠パネルを脱枠した後のコンクリートの面取り部に釘の頭部の痕跡が残るようなことがなく、面取り部が見栄えに優れるという効果を有する。
【発明を実施するための最良の形態】
【０００７】
以下、本発明に係るコンクリート型枠用面木（以下、単に「面木」という。）の実施の形態を図面に基づき説明する。図１は本発明に係る面木の斜視図、図２は同横断面図である。この面木Ａは、例えば、木製、合成樹脂製、アルミニウム製、スチール製のものがあり、いずれの材質の面木も本発明が適用できる。そこで、この内、木製の面木について説明する。
【０００８】
面木Ａは、長細い棒状に成形され横断面がほぼ直角三角形状をなす。この場合、図２断面図におけるほぼ直角な頂点Ｔを挟む隣り合う一対の当接面１ａ，１ｂが同じ長さを有し、これら当接面１ａ，１ｂが後記するコンクリート型枠パネル６の側面（内側面６ｂ）に当接する。また、両当接面１ａ，１ｂ間に位置する傾斜面が後記する生コンクリート８と接し面取り部１０を成形するための面取り成形面２となる。そして、前記二つの当接面１ａ，１ｂの内、一方の当接面１ａにその長手方向に沿ってＶ溝３が凹設されている。
【０００９】
前記Ｖ溝３は、その開角度αがほぼ９０度に設定され、その一方の内側面４ａが前記面取り成形面２と平行をなし、他方の内側面４ｂがその一方の内側面４ａとほぼ直交している。そして、前記他方の内側面４ｂが釘打込面となる。Ｖ溝３の所定の開角度αは、該釘打込面４ｂに釘７がほぼ垂直な姿勢で打ち込め、打ち込み易いという点を考慮して、例えば７５度〜１１０度の範囲で選択される。
【００１０】
本発明に係る面木Ａは上記構成からなり、次に、図３（イ）乃至（ニ）に基づき各角部に面取り部１０を有するコンクリート柱９の成形方法について説明する。まず、図３（イ）に示すように外側面６ａに補強枠５を添着したコンクリート型枠パネル６の内側面６ｂ一端の所定位置に、頂点Ｔをその端縁に位置するようにしかつ面取り成形面２が内方を向くようにして面木Ａを配置する。この際、Ｖ溝３は外側を向いている。そして、この状態で、Ｖ溝３内の釘打込面４ｂにその長手方向に沿って複数の釘７を打ち込み、各釘７の先端がコンクリート型枠パネル６を貫通するようにする。
【００１１】
このように、Ｖ溝３の釘打込面４ｂは各釘７が該釘打込面４ｂに対しほぼ垂直な姿勢で打ち込めるように位置しているので、ハンマー（図示せず。）で各釘７を打ち込む際に釘打込面４ｂが邪魔になるといったことがなく釘打ち作業がし易い。しかも、釘打ち作業が安定して行なえることから、面木Ａが所定位置からずれるようなことがほとんどなく寸法精度も高くなる。
【００１２】
次に、図３（ロ）に示すようにコンクリート型枠パネル６の一端に、該コンクリート型枠パネル６と直交するように次のコンクリート型枠パネル６を当接して固定する。このコンクリート型枠パネル６の外側面６ａにも補強枠５が添着されている。以後、同様な作業を繰り返して四方を４枚のコンクリート型枠パネル６で囲う。この状態で、図３（ハ）に示すように平面方形状に組立てられたコンクリート型枠パネル６内に生コンクリート８を打設する。そして、生コンクリート８を養生した後に脱枠する。
【００１３】
これにより、図３（ニ）に示すように平断面方形状のコンクリート柱９が成形される。しかも、外周面の各角部には隣り合う側面９ａに対してほぼ４５度をなす直線的な面取り部１０が成形される。これら面取り部１０には前記打ち込まれる釘７が接触するようなことがないので、面取り部１０の表面に釘７の頭部の痕跡が残るようなことがなく、面取り部１０の見栄えに優れる。
【００１４】
図４、図５は他の実施の形態に係る面木Ａ１を示すものである。この面木Ａ１も、長細い棒状に成形され、図５の断面図における頂点Ｔを挟む一対の当接面１１ａ，１１ｂが同じ長さを有し、その間に位置する面取り成形面１２が凹弧面に成形されている。この面取り成形面１２が前記のように生コンクリート８と接してその面取り部（図示せず。）を成形する。そして、前記二つの当接面１１ａ，１１ｂの内、一方の当接面１１ａに外側を向くＶ溝１３が凹設される。
【００１５】
この場合、前記Ｖ溝１３の開角度αはほぼ１００度に設定されており、その一方の内側面１４ａが一方の当接面１１ａに対しほぼ４５度の角度をなし、他方の内側面が釘打込面１４ｂとなる。
【００１６】
他の実施の形態に係る面木Ａ１は上記構成からなる。この面木Ａ１も本実施の形態と同様にしてコンクリート型枠パネル６一端の内側面６ｂの所定位置に配置し、釘打込面１４ｂに複数の釘７を打ち込むことによって固定されるものであり、本実施の形態と同等の効果が得られる。
【００１７】
面木Ａ，Ａ１が合成樹脂製、アルミニウム製、スチール製の場合は、施工現場でＶ溝３，１３の釘打込面４ｂ，１４ｂに電動ドリルで穴を開けて、その穴を介してコンクリート型枠パネル６に釘７を打つことになる。この場合も、ドリルが釘打込面４ｂ，１４ｂにほぼ垂直な姿勢で宛がえるので、ドリル先端が釘打込面４ｂ，１４ｂから滑るといったことが少なく、所定位置に正確に穴を開けることができる。
【００１８】
各実施の形態に係る面木Ａ，Ａ１はコンクリート柱９を成形する場合について説明したが、他に例えばマンション等のベランダの囲い壁を成形する場合など外周面に面取り部を有するコンクリート成形物であれば各実施の形態に係る面木Ａ，Ａ１が適用できる。
【図面の簡単な説明】
【００１９】
【図１】本発明に係る面木の斜視図。
【図２】同横断面図。
【図３】（イ）乃至（ニ）コンクリート柱の成形順序を示す説明図。
【図４】他の実施の形態に係る面木の斜視図。
【図５】同横断面図。
【符号の説明】
【００２０】
１ａ            当接面
１ｂ            当接面
２              面取り成形面
３              Ｖ溝
４ａ            一方の内側面
４ｂ            他方の内側面（釘打込面）
６              コンクリート型枠パネル
１１ａ          当接面
１１ｂ          当接面
１２            面取り成形面
１３            Ｖ溝
１４ａ          一方の内側面
１４ｂ          他方の内側面（釘打込面）
Ａ，Ａ１        面木
α              開角度
【図１】
2006233450.tif 000003
【図２】
2006233450.tif 000004
【図３】
2006233450.tif 000005
【図４】
2006233450.tif 000006
【図５】
2006233450.tif 000007